(57)【要約】【課題】  出力と電源ラインを切り離す構成の出力バッファ回路を実現し、共振周波数のシフトおよび出力電圧や共振回路のＱ値の減少を防止し、電源ラインに高周波電流が流れることによる他の回路の誤動作や電源ラインからの不要な電磁波の放射を防ぐ。【解決手段】  出力バッファ回路は、可変リアクタンス部１と、スイッチＡ２と、スイッチＢ３と、スイッチＣ４と、容量Ａ５と、容量Ｂ６と、電源８と、を備える。スイッチＡ２とスイッチＣ４に対してスイッチＢ３は反転した動作を行い、この反転した動作を制御するための信号として、変調回路からの出力に対して正信号「Ａ」と、変調回路からの出力を反転回路１０で反転させた反転信号「Ｂ」の２種類の制御信号を生成する。正信号「Ａ」はスイッチＡ２とスイッチＣ４に入力されオン／オフが制御される。一方、反転信号「Ｂ」はスイッチＢ３に入力されオン／オフが制御される。【選択図】      図１
2006314057.tif 000002
【特許請求の範囲】
【請求項１】
送信すべきデータに基づく電界を電界伝達媒体に誘起し、この誘起した電界を用いて前記データの送信を行うための送信器において、
前記データを発振器で生成した搬送波を用いて変調する変調回路と、
前記変調回路にて変調された前記データを出力する出力回路と、
当該送信器の動作に必要な電源を供給するための電源と、を有し、
前記出力回路には、
前記変調回路から出力された信号に基づいて非反転信号と反転信号の２種類の信号を生成するための信号生成手段と、
前記電源と回路グランドの間に挿入された第１の容量と、
前記電源と前記第１の容量との間に直列に挿入されて前記非反転信号によりオン／オフ制御される第１のスイッチと、
前記第１の容量と前記第１のスイッチの間に一端が接続されて前記反転信号によりオン／オフ制御されるする第２のスイッチと、
前記第２のスイッチの他端と当該出力回路の出力端との間と回路グランドとの間を接続して前記非反転信号によりオン／オフ制御される第３のスイッチと、
前記第３のスイッチと並列に接続された第２の容量と、
を備えることを特徴とする送信器。
【請求項２】
送信すべきデータに基づく電界を電界伝達媒体に誘起し、この誘起した電界を用いて前記データの送信を行うための送信器において、
前記データを発振器で生成した搬送波を用いて変調する変調回路と、
前記変調回路にて変調された前記データを出力する出力回路と、
前記出力回路からの出力と電界伝達媒体との間の共振を調整するリアクタンス制御手段と、
当該送信器の動作に必要な電源を供給するための電源と、を有し、
前記出力回路には、
前記変調回路から出力された信号に基づいて非反転信号と反転信号の２種類の信号を生成するための信号生成手段と、
回路グランドに一端が接続された第１の容量および第３の容量と、
前記電源に一端が接続され前記非反転信号によりオン／オフ制御される第１のスイッチと、
前記第１の容量と前記第３の容量とのいずれか一方と前記第１のスイッチの他端との接続を前記リアクタンス制御手段から出力された制御信号に基づいて切り替え制御する第４のスイッチと、
前記第４のスイッチと前記第１のスイッチの間に一端が接続されて前記反転信号によりオン／オフ制御される第２のスイッチと、
前記第２のスイッチの他端と当該出力回路の出力端との間と回路グランドとの間を接続して前記非反転信号によりオン／オフ制御される第３のスイッチと、
前記第３のスイッチと並列に接続された第２の容量と、
を備えることを特徴とする送信器。
【請求項３】
前記信号生成手段は、
前記変調回路から出力された信号を第１の遅延器を介して遅延させた後に反転信号を生成し、
一方において前記出力された信号を第２の遅延器を介して遅延させた後に遅延していない前記出力との論理積を生成して非反転信号を生成することを特徴とする請求項１または２のいずれか１項に記載の送信器。
【請求項４】
前記請求項１〜３のうちのいずれか１項に記載の送信器と、
電界伝達媒体に誘起された受信すべきデータに基づく電界を受信して受信データ得る受信器とを備えることを特徴とするトランシーバ。
【請求項５】
前記受信器は、電界検出光学部を有することを特徴とする請求項４に記載のトランシーバ。
【発明の詳細な説明】
【技術分野】
【０００１】
本発明は、電界を電界伝達媒体に誘起し、この誘起した電界を用いて情報の受信を行う送信器及びトランシーバに関する。
【背景技術】
【０００２】
携帯端末の小型化および高性能化により、生体に装着可能なウェアラブルコンピュータが注目されてきている。従来、このようなウェアラブルコンピュータ間の情報通信として、コンピュータにトランシーバを接続して一体に構成し、このトランシーバが誘起する電界を、電界伝達媒体である生体の内部に伝達させることによって、情報の送受信を行う方法が提案されている。
【０００３】
このような、大地グランドから浮遊した電界通信用のトランシーバでは、人体に電界を効率よく誘起するために、送受信電極と送信回路の間に可変リアクタンスを挿入し、人体や回路グランドと大地グランド間の浮遊容量との共振現象を利用している。可変リアクタンスを共振状態にするために、振幅モニタ部、制御信号発生部、電界検出光学部、信号処理部を用いてリアクタンス値を調整している。
【０００４】
電界通信において誘起される電界を強くするために、トランシーバの出力に可変リアクタンスを挿入し、生体と大地グランドおよびトランシーバのグランドと大地グランドの浮遊容量と共振させる方法が取られる（例えば、特許文献１、２を参照）。
【０００５】
図９に示す従来技術による送信器において、たとえばＩ／Ｏ回路１００と、送信回路１０１と、この送信回路１０１に備わる発振器１０５と、変調回路１０６と、出力回路１０７と、を構成に含み、さらに、可変リアクタンス部１０３と、リアクタンス制御部１０４と、電極１０８と、絶縁膜１０９とによって構成されている。こうした構成により生体１０２を電界伝達媒体として電界通信を行っている。
【０００６】
こうした送信器の構成に、送信回路１０１の出力回路１０７としてインバータを用いた場合、電源ラインに高周波電流が流れることによる他の回路の誤動作や、あるいは電源ラインからの不要な電磁波の放射を防ぐために、図示しないフィルタを挿入している。
【特許文献１】特開２００４−１５３７０８号公報
【特許文献２】United States Ptent Appplication Publication,Pub.No.:US2004/09226A1  Pub.Date:May13,2004
【発明の開示】
【発明が解決しようとする課題】
【０００７】
しかしながら上述した従来技術では、図１０に示すような回路構成と図１１に示すような複数のスイッチを用いている。図１０に示す模式的な出力回路の構成は電源１１０からの電源ラインにノイズ除去のためのフィルタ１１１が挿入されて出力用インバータ１１２へ電源供給している。図１１には図１０の回路構成の出力用インバータ１１２を２個のスイッチに置き換えて示した図である。図示しない変調回路の出力がＨレベルのときはスイッチＱ１１６がオフで、スイッチＲ１１７がオンとなり、ＬレベルではスイッチＱ１１６がオンでスイッチＲ１１７がオフである。フィルタ１１１をインダクタと容量で構成した場合では、フィルタ１１１のリアクタンスが共振状態に影響して共振周波数がシフトし、可変リアクタンス部１１３の制御範囲が変化してしまうという問題があった。
【０００８】
また、抵抗またはダイオードと容量でフィルタ１１１を構成した場合では、出力電圧や共振回路のＱ値が減少するという問題があった。
【０００９】
本発明は、上記の課題に鑑みてなされたもので、その目的とするところは、出力と電源ラインを切り離す構成の出力バッファ回路を実現でき、共振周波数のシフトおよび出力電圧や共振回路のＱ値の減少を防止でき、電源ラインに高周波電流が流れることによる他の回路の誤動作や電源ラインからの不要な電磁波の放射を防ぐことができる送信器およびトランシーバを提供することにある。
【課題を解決するための手段】
【００１０】
課題を解決するために、請求項１に記載の本発明は、送信すべきデータに基づく電界を電界伝達媒体に誘起し、この誘起した電界を用いて前記データの送信を行うための送信器において、前記データを発振器で生成した搬送波を用いて変調する変調回路と、前記変調回路にて変調された前記データを出力する出力回路と、当該送信器の動作に必要な電源を供給するための電源と、を有し、前記出力回路には、前記変調回路から出力された信号に基づいて非反転信号と反転信号の２種類の信号を生成するための信号生成手段と、前記電源と回路グランドの間に挿入された第１の容量と、前記電源と前記第１の容量との間に直列に挿入されて前記非反転信号によりオン／オフ制御される第１のスイッチと、前記第１の容量と前記第１のスイッチの間に一端が接続されて前記反転信号によりオン／オフ制御されるする第２のスイッチと、前記第２のスイッチの他端と当該出力回路の出力端との間と回路グランドとの間を接続して前記非反転信号によりオン／オフ制御される第３のスイッチと、前記第３のスイッチと並列に接続された第２の容量と、を備える。
【００１１】
また、請求項２に記載の本発明は、送信すべきデータに基づく電界を電界伝達媒体に誘起し、この誘起した電界を用いて前記データの送信を行うための送信器において、前記データを発振器で生成した搬送波を用いて変調する変調回路と、前記変調回路にて変調された前記データを出力する出力回路と、前記出力回路からの出力と電界伝達媒体との間の共振を調整するリアクタンス制御手段と、当該送信器の動作に必要な電源を供給するための電源と、を有し、前記出力回路には、前記変調回路から出力された信号に基づいて非反転信号と反転信号の２種類の信号を生成するための信号生成手段と、回路グランドに一端が接続された第１の容量および第３の容量と、前記電源に一端が接続され前記非反転信号によりオン／オフ制御される第１のスイッチと、前記第１の容量と前記第３の容量とのいずれか一方と前記第１のスイッチの他端との接続を前記リアクタンス制御手段から出力された制御信号に基づいて切り替え制御する第４のスイッチと、前記第４のスイッチと前記第１のスイッチの間に一端が接続されて前記反転信号によりオン／オフ制御される第２のスイッチと、前記第２のスイッチの他端と当該出力回路の出力端との間と回路グランドとの間を接続して前記非反転信号によりオン／オフ制御される第３のスイッチと、前記第３のスイッチと並列に接続された第２の容量と、を備える。
【００１２】
また、請求項３に記載の本発明は、請求項１または２のいずれか１項において、前記信号生成手段は、前記変調回路から出力された信号を第１の遅延器を介して遅延させた後に反転信号を生成し、一方において前記出力された信号を第２の遅延器を介して遅延させた後に遅延していない前記出力との論理積を生成して非反転信号を生成する。
【００１３】
また、請求項４に記載の本発明は、前記請求項１〜３のうちのいずれか１項に記載の送信器と、電界伝達媒体に誘起された受信すべきデータに基づく電界を受信して受信データ得る受信器とを備える。
【００１４】
また、請求項５に記載の本発明は、請求項４において、前記受信器は、電界検出光学部を有する。
【発明の効果】
【００１５】
本発明によれば、出力と電源ラインを切り離す構成の出力バッファ回路を実現でき、共振周波数のシフトおよび出力電圧や共振回路のＱ値の減少を防止でき、電源ラインに高周波電流が流れることによる他の回路の誤動作や電源ラインからの不要な電磁波の放射を防ぐことができる送信器およびトランシーバを提供することができる。
【発明を実施するための最良の形態】
【００１６】
図１に出力バッファ回路の構成例を示す。この出力バッファ回路は、可変リアクタンス部１と、スイッチＡ２と、スイッチＢ３と、スイッチＣ４と、容量Ａ５と、容量Ｂ６と、電源８から構成されている。
【００１７】
このように３個のスイッチと２個の容量で構成された出力バッファ回路では、スイッチＡ２とスイッチＣ４に対してスイッチＢ３は反転した動作を行う。この反転した動作を制御するための信号として、変調回路からの出力に対して図中Ａで示した正信号「Ａ」と、変調回路からの出力を反転回路１０で反転させた反転信号「Ｂ」の２種類の制御信号を生成する。正信号「Ａ」はスイッチＡ２とスイッチＣ４に入力されオン／オフが制御される。一方、反転信号「Ｂ」はスイッチＢ３に入力されオン／オフが制御される。
【００１８】
こうした制御信号によって各スイッチが制御されるので、スイッチＡ２とスイッチＣ４がオンでスイッチＢ３がオフのとき、電源８から容量Ａ５に電荷が蓄積され、可変リアクタンス部１への出力側ではスイッチＣ４から回路グランド７に電荷が流れてＬレベルになる。
【００１９】
そして、スイッチＡ２とスイッチＣ４がオフでスイッチＢ３がオンのときでは、容量Ａ５の電荷が容量Ｂ６に流れ、容量Ａ５の容量値が十分大きければ出力の電位はＨレベルになる。このとき可変リアクタンス部１への出力側と電源８がスイッチＡ２で切り離されているため、共振周波数がシフトすることはない。
【００２０】
以上の出力バッファ回路を適用することにより、共振周波数のシフトおよび出力電圧や共振回路のＱ値の減少を防ぎ、かつ電源ラインに高周波電流が流れることによる他の回路の誤動作や電源ラインからの不要な電磁波の放射を防ぐ送信器を提供できる。なお、容量Ｂ６は配線容量等でもよい。
【００２１】
図２に出力バッファ回路の変形例を示す。本変形例ではスイッチＡ２、スイッチＣ４とスイッチＢ３が同時にオンにならないために、２個の遅延器Ａ１５、遅延器Ｂ１６と、論理回路１７で信号を整形している。遅延器Ｂ１６の出力は反転回路１０に入力されている。図１の回路において、反転回路１０での信号遅延が無視できず、この結果スイッチＡ２、スイッチＣ４とスイッチＢ３が同時にオンになる場合が生じると電源８と可変リアクタンス部１への出力側が短絡する可能性がある。
【００２２】
この短絡の対策をした図２の回路の動作を図３のタイミング図で説明する。図示しない変調回路からの入力信号（ａ）と遅延器Ａ１５を通した信号（ｂ）との論理積を論理回路１７でとることにより（ｃ）に示す制御信号「Ａ」を作り出せる。
【００２３】
そして、変調回路からの信号を遅延器Ｂ１６に通して反転して生成した（ｄ）に示す制御信号「Ｂ」と制御信号「Ａ」とでは図３に示すように同時にＨレベルになるタイミングがないため、電源８と出力側が短絡することを防ぐことができる。この信号処理により、より確実に共振周波数のシフトおよび出力電圧や共振回路のＱ値の減少を防ぎ、かつ電源ラインに高周波電流が流れることによる他の回路の誤動作や電源ラインからの不要な電磁波の放射を防ぐ送信器を提供できる。
【００２４】
図４に出力バッファ回路の変形例を示し、図５には図４に示した変形例の出力バッファ回路を用いた送信器のブロック図を示す。図４に示す出力バッファ回路では図１に示した出力バッファ回路に対し、容量Ａ５よりも小さな容量値を持つ容量Ｃ９とスイッチＤ２０を付加している。付加したスイッチＤ２０のオン／オフの制御は図５に示すリアクタンス制御部２４からの出力切替信号により制御される。処理回路２１の構成と機能は図１に示した変調回路からの出力の反転／非反転出力を得る回路と同様である。
【００２５】
図６に図４と図５に示した出力バッファ回路と送信器の各信号のタイミングチャートを示す。図４に示す出力バッファ回路ではリアクタンス制御部２４からの出力切替信号がＬレベルのときにスイッチＤ２０のａ２１とｂ２１を接続し、Ｈレベルのときａ２１とｃ２１を接続する。なお、変調回路からの入力信号は（ａ）に示すように図３（ａ）と同様である。
【００２６】
そして、リアクタンス値の調整を行っているときにはリアクタンス制御部２４からの出力切替信号によりスイッチＤ２０のａ２１とｂ２１を接続して容量Ｃ９を使用する。容量Ｃ９の容量値を低くすると図６（ｂ）のように出力側の振幅を小さくできるので、図４に示した出力バッファ回路を用いた送信器では、リアクタンス値調整時での制御信号の振幅値を（ｄ）に示すように小さくでき、出力側の振幅も（ｂ）に示すように小さくできるので出力バッファ回路の消費電力も小さくできる。
【００２７】
この接続を保持して生体に印加される信号が最大となるようにリアクタンス値を調整する。この後データを送信する時には、出力切替信号（ｃ）の切替指示によって生体に印加される信号が最大となるようにリアクタンス値を調整する。そして、この後データを送信する時には出力切替信号によりスイッチＤ２０を切り替えて（ｅ）の波形後半に示すように生体２５に印加される信号を大きくする。
【００２８】
図７に図１に示した変調回路を備える受信部３０を適用したトランシーバのブロック図を示す。受信した信号を増幅し、フィルタリングし、復調してＩ／Ｏ回路２２に出力する受信部３０を付加している。
【００２９】
図８には図４に示した他の変形例の変調回路をトランシーバへ適用した場合のブロック図を示す。このトランシーバでは送受信の切り替えを行うスイッチ３１を使用し、送信の場合ではａ１とｂ１を接続して送信回路２３と自己調整または外部制御可能な切可変リアクタンス部１を接続する。受信の場合ではａ１とｃ１を接続して受信部３０に受信した信号を入力する。このとき可変リアクタンス部１のリアクタンス値を最小に設定している。
【００３０】
なお、受信部３０の入力段に光学的に電界を検出する電界検出光学部を用いてもよい。
【００３１】
以上において説明した実施の形態によれば、出力と電源ラインを切り離す構成の出力バッファ回路を実現でき、共振周波数のシフトおよび出力電圧や共振回路のＱ値の減少を防止でき、電源ラインに高周波電流が流れることによる他の回路の誤動作や電源ラインからの不要な電磁波の放射を防ぐことができる送信器およびトランシーバを提供することができる。
【図面の簡単な説明】
【００３２】
【図１】実施の形態に係る出力バッファ回路の全体構成図を示す。
【図２】実施の形態に係る出力バッファ回路の変形例を示す。
【図３】実施の形態に係る出力バッファ回路の変形例のタイミング図を示す。
【図４】他の実施の形態に係る出力バッファ回路の全体構成図を示す。
【図５】他の実施の形態に係る送信器の全体構成図を示す。
【図６】他の実施の形態に係る出力バッファ回路のタイミング図を示す。
【図７】実施の形態に係るトランシーバの構成図を示す。
【図８】実施の形態に係るトランシーバの他の構成図を示す。
【図９】従来技術による送信器の構成図を示す。
【図１０】従来の技術による送信回路の構成図を示す。
【図１１】従来の技術による送信回路の構成図を示す。
【符号の説明】
【００３３】
１  可変リアクタンス部
２  スイッチＡ
３  スイッチＢ
４  スイッチＣ
５  容量Ａ
６  容量Ｂ
７  回路グランド
８  電源
１０  反転回路
【図１】
2006314057.tif 000003
【図２】
2006314057.tif 000004
【図３】
2006314057.tif 000005
【図４】
2006314057.tif 000006
【図５】
2006314057.tif 000007
【図６】
2006314057.tif 000008
【図７】
2006314057.tif 000009
【図８】
2006314057.tif 000010
【図９】
2006314057.tif 000011
【図１０】
2006314057.tif 000012
【図１１】
2006314057.tif 000013